(57)【要約】【課題】  ガラス光ファイバケーブル、あるいは全プラスチックファイバケーブルの端部の終端処理に関する信頼性の高いコネクタシステムおよびその製造方法を提供する。【解決手段】  外部被覆を有する光ファイバケーブルを終端処理するコネクタシステムは、軸方向の穴を有するコネクタプラグと圧着挿入子を有し、挿入子の先端部はコネクタプラグの手前側端部と結合するよう形成され、挿入子の穴の第１の部分は外部被覆の外径に対応する直径を有し、穴の第２の部分はケーブルの被覆を除去した端部の外径に対応する直径を有する。挿入子は、挿入子の穴の第１、および第２の部分に対応する周辺部上で軸方向に間隔をあけた位置を圧着したときに変形する。これにより、外部被覆のある部分と外部被覆を除去した端部の双方の、結合された挿入子とコネクタプラグに対する軸方向の動きが抑制される。【選択図】  図５
2005018075.tif 000002
【特許請求の範囲】
【請求項１】
外部被覆を含む光ファイバ・ケーブルの端部を終端処理するコネクタ・システムであって、
第１の軸と、手前側端部と、前記第１の軸の方向に沿って手前側端部の反対側にある先端部と、前記手前側端部と前記先端部の間に伸びるように形成された同軸の穴とを有するコネクタ・プラグと、
第２の軸と、手前側先端部と、前記第２の軸の方向に沿って手前側端部の反対側にある先端部と、前記手前側端部と前記先端部の間に伸びるように形成された同軸の穴とを有する挿入圧着子とを有し、
前記圧着挿入子の先端部が前記コネクタ・プラグの手前側端部と結合される寸法に形成され、
前記圧着挿入子の同軸の穴の第１の部分が該圧着挿入子の手前側端部で開き、かつ光ファイバ・ケーブルの外部被覆の外径に対応する第１の直径を有し、
前記圧着挿入子の同軸の穴の第２の部分が、前記ケーブルの被覆を除去した端部の外径に対応する第２の直径を有し、そして、
前記挿入子の外周上の第１および第２の同軸の穴の位置に対応する軸方向に間隔をあけた位置に加えられる圧着力に応じて前記圧着挿入子が変形するように構成かつ配列され、(i)外部被覆、および(ii)ケーブルの被覆を除去した端部の両方が、結合された挿入子とコネクタ・プラグに対して軸方向に動くことが抑制されることを特徴とする光ファイバ・ケーブルの端部を終端処理するコネクタ・システム。
【請求項２】
前記コネクタ・プラグが熱可塑性材料からなることを特徴とする請求項１に記載のコネクタ・システム。
【請求項３】
前記圧着挿入子が金属系の材料からなることを特徴とする請求項１または２に記載のコネクタ・システム。
【請求項４】
前記金属系の材料がアルミニウムからなることを特徴とする請求項３に記載のコネクタ・システム。
【請求項５】
前記圧着挿入子の先端部が、前記コネクタ・プラグの手前側端部からコネクタ・プラグの同軸の穴に挿入される寸法で配置され、かつ、前記挿入子が前記コネクタ・プラグに挿入された場合にしっかりした結合を確立するために前記挿入子の先端部の方向であってその円周上に形成された１つ以上のリブを有することを特徴とする請求項３または４に記載のコネクタ・システム。
【請求項６】
前記圧着挿入子が、１組の圧着具による外側からの圧着力を加えるために、その円周上に軸方向に間隔をあけて形成された少なくとも２つの圧着リングを有することを特徴とする請求項１乃至５のいずれかに記載のコネクタ・システム。
【請求項７】
第１の圧着リングが実質的に前記圧着挿入子の手前側端部に形成され、第２の圧着リングが前記圧着挿入子の同軸の穴の第２の部分の中央部を包含する位置に形成されることを特徴とする請求項６に記載のコネクタ・システム。
【請求項８】
少なくとも外部被覆とクラッド・コアを有するある長さの光ファイバ・ケーブルと、前記光ファイバ・ケーブルを終端処理するための前記いずれかの請求項に記載のコネクタ・システム、およびコネクタ・フェルール・ユニットを外部のコネクタ、あるいはソケットに対して動作可能な関係に保持するためのコネクタ筐体とを有することを特徴とする、光ファイバ・ケーブルおよびコネクタ組立体。
【請求項９】
前記請求項１から７のいずれかに記載のコネクタ・システムによってそれぞれ終端処理された２つの長さの前記光ファイバ・ケーブルを含み、かつ前記コネクタ筐体が、前記長さのケーブルが接続されたフェルール・ユニットを外部のコネクタ、あるいはソケットに対して動作可能な関係に保持するよう構成され、配置されていることを特徴とする、請求項８に記載の光ファイバ・ケーブルおよびコネクタ組立体。
【請求項１０】
前記光ファイバ・ケーブルが、高分子材料のクラッドが付与されたシリカコアを有することを特徴とする請求項８または９に記載の光ファイバ・ケーブル、およびコネクタ組立体。
【発明の詳細な説明】
【技術分野】
【０００１】
本発明はケーブル・コネクタの構成に関するものであり、特に光ファイバ・ケーブル・コネクタ・システムの構成に関する。
【背景技術】
【０００２】
米国特許第５，４５５，８８０（１９９５年１０月３日、以下‘８８０特許と呼ぶ）は、高分子材料で被覆されたガラス光ファイバに使用可能な光ファイバ・ケーブル用コネクタについて開示している。この特許にいうコネクタは、同軸の穴を有するコネクタ・プラグ、および直径の大きな部分と小さな部分がある同軸の穴を有する圧着リングを含む。圧着リングのスリーブがリングの中の穴の直径が小さい部分を構成し、そのスリーブはプラグの手前側端部でコネクタ・プラグの穴に収まる寸法になっている。
【０００３】
外部被覆、クラッド・コア、および中間の緩衝層からなる光ファイバケーブルの一端を部分的に裸にして被覆のある部分と被覆を除去した部分とをはっきりさせる。裸にしたケーブル端部をまず圧着リングの穴の直径の大きな部分に、次いで直径の小さな部分に差込み、被覆のある部分が直径の大きな部分の中に十分入り、被覆を除去した部分があらかじめ定めた長さまで直径の小さな部分から飛び出すようにする。
【０００４】
圧着リングは、ケーブルの被覆を除去した部分にそのスリーブを圧着することでしっかり固定され、その被覆を除去した部分はコネクタ・プラグの手前側端部の穴に差し込まれる。圧着リングのスリーブがプラグの手前側端部に接するとき、ある長さの被覆を除去した部分がプラグの反対側（先端部）端部の穴から出る。それから、プラグの手前側端部を取り囲む圧着リングの円形のつばが、リングをプラグにしっかり固定するように圧着される。最後に、プラグの先端部から出ている被覆を除去した部分のケーブルの長さを詰めると、このコネクタは組になった反対側のコネクタに挿入する準備が整う。
【０００５】
‘８８０特許によるコネクタは、光ファイバケーブルを組み立てるために２つの異なる圧着操作が必要であることが明らかであろう。まず、ケーブルの被覆を除去した部分にリングを固定するために圧着リングのスリーブ上に第１の圧着作業を行い、次いで、プラグ・コネクタにリングを固定するために円形の圧着リングのつばに第２の圧着作業を行う。したがって、ケーブルの裸になった端部を組み立てたコネクタから引き抜こうとする力は、ケーブルの被覆を除去した（つまり、直径が小さくなった）部分を通して主に圧着したスリーブの方向に向く。そのため、このコネクタは、極端な温度変化によるケーブル・ストレスが、コネクタに接続されたケーブル終端の引き込み、あるいは「ピストン運動」を引き起こすような厳しい環境での使用には適さないことも有り得る。
【０００６】
米国特許第５，９２３，８０５（１９９９年７月１３日）は、たとえば厚さが約２５ミクロン（μｍ）以下のフッ素重合体クラッドで被覆された直径が約１．０ミリ（ｍｍ）のポリメチルメタアクリレ−ト（polymethylmethacrylate：ＰＭＭＡ）コアのような、プラスチック・コアを有するファイバ・ケ−ブルの終端処理におけるコネクタに関するものである。一般にファイバは、たとえば、０．５ｍｍ厚のナイロンのような保護性がある透明な材料で被覆されている。コネクタは金属のガイド管を保持するハウジングを含み、あらかじめ準備した外部被覆を含むケーブル終端部が、ガイド管を通して挿入される。ケーブルに引っ張り力が加わったときにコネクタ・ハウジングからケーブルが抜けることを防止するために、ガイド管をケーブルに圧着固定する。
【０００７】
今日、プラスチック・光ファイバ・ケーブルに対して強い要望があり、特に、種々の標準的な、あるいは付帯的な自動車用装置がマルチメディア光ファイバ・ネットワーク上で互いに協調して動作するよう整合がなされている自動車産業から、それが強くだされている。「Medial Oriented System Transport」、あるいは「ＭＯＳＴ」として知られているネットワークは、自動車用途に最適化されている。現在、約２０社の国際的自動車メーカ、および５０社以上の重要部品供給業者はＭＯＳＴ技術を採用し、実施するべく動いている。
【０００８】
ＭＯＳＴネットワーク構成は、マイクロフォンやスピーカなどの一般的な装置のインターフェースがかなり低コストであるという特徴を有している。同時に、それはよりインテリジェントな機器、たとえば高機能携帯電話、デジタル・ラジオ受信機、ＧＰＳナビゲーション装置、安全保証システム、ＣＤチェンジャ、音声認識・起動システム、ビデオ・ディスプレイなどネットワークに接続されたすべての機器の特徴と機能を発揮させる。こうして、種々のサブ・システムがＭＯＳＴを搭載した車の運転者と通信しようとする無用の混乱を解消する制御メカニズムが確立され得る。一般的にはインターネット・ウエブ・サイト＜www.mostcooperation.com＞を参照のこと。
【０００９】
ＭＯＳＴ標準は、対応するケーブルに収容された光ファイバの特定の形式に関係なく、プラグ、あるいは光ファイバ・ケーブル・コネクタの「鼻（nose）」と、それと対になるコネクタとの間のインターフェースの幾何学的な形状因子を規定している。上記のウエブ・サイトからダウンロード可能であり、参考文献として引用している「MOST Specification Of Physical Layer」（Ｒｅｖ．１．０（０２／２００１））の第１７頁−第１８頁を参照のこと。
【００１０】
【特許文献１】米国特許第５，４５５，８８０（１９９５年１０月３日）
【特許文献２】米国特許第５，９２３，８０５（１９９９年７月１３日）
【非特許文献１】インターネット・ウエブ・サイト www.mostcooperation.com
【非特許文献２】「MOST Specification Of Physical Layer」（Rev. 1.0（02/2001、第１７頁−第１８頁）
【非特許文献３】J. Hecht「Understanding Fiber Optics」（Prentice Hall、第３版、１９９９、第１５２頁乃至第１５３頁
【発明の開示】
【発明が解決しようとする課題】
【００１１】
現在のＭＯＳＴネットワークは、通常、データ伝送のために直径１０００μｍの全プラスチック光ファイバ・ケーブルを使用している。しかし、自動車への応用の発展により、プラスチック・コア光ファイバの光の帯域幅と環境的な制限を超えるものが期待されている。したがって、高分子材料クラッドを付与した純シリカコアの光ファイバ、たとえばＯＦＳファイテルから入手可能なＨＣＳ(登録商標)など、はプラスチック・コア・ファイバに対する有用な代替であり、ＭＯＳＴネットワークの将来の光学的、環境的な要求を満たすであろう。したがって、高分子材料クラッド／シリカコア、あるいは全プラスチック光ファイバ・ケーブルのいずれに対しても信頼性の高いインターフェースを提供でき、かつＭＯＳＴ、およびこれから新たに出てくる他の光ファイバ・ネットワークの現在、および将来の帯域幅、および環境的な要求を満足することが出来るコネクタ・システムが強く望まれている。
【課題を解決するための手段】
【００１２】
保護の外部被覆を有する光ファイバ・ケーブルの端部を終端処理する本発明のコネクタ・システムは、第一の軸を有するコネクタ・プラグ、およびコネクタ・プラグの手前側端部から先端部まで延びた同軸の穴とを含む。圧着挿入子は第二の軸と、挿入子の手前側端部から先端部まで延びた同軸の穴とを有する。挿入子の先端部はコネクタ・プラグの手前側端部と結合するよう形成されている。挿入子の穴の第一の部分は挿入子の手前側端部に開いていて、外部被覆の外径に対応する第一の直径を有する。挿入子の穴の第二の部分は、外部被覆を除去した端部に対応する第二の直径を有する。圧着挿入子は、第１、および第２の穴の位置に対応する外側周辺上で、かつ軸方向に間隔をあけた位置に加えられる圧着力に応じて変形するように構成、配置される。こうして、外部被覆と被覆を除去したケーブル端部のいずれもが、結合した挿入子とコネクタ・プラグに関して軸方向の動きが抑制される。
【発明の効果】
【００１３】
本発明により外部被覆を有する光ファイバ・ケーブル、あるいは全プラスチック・ファイバ・ケーブルの端部を終端処理することが可能となり、外部被覆と被覆を除去したケーブル端部のいずれもが、結合した挿入子とコネクタ・プラグに関して軸方向の動きが抑制されて信頼性の高いコネクタ・システムが得られる。
【発明を実施するための最良の形態】
【００１４】
本発明のよりよい理解のために、添付の図、および添付の請求の範囲とを参照しながら本発明をより詳細に説明する。なお、これらの図面は必ずしも寸法通りではない。
【実施例１】
【００１５】
図１は、１組の終端部１２、１４を収納するコネクタ・ボディ１０を示す。終端部１２、１４は、対になるコネクタ（図示しない）が付いた装置と組み合わせる２本の光ファイバ・ケーブル１６、１８の端面を表わす。コネクタ・ボディ１０は、たとえば、一般にコネクタ筐体が１組のケーブル終端部を有するＭＯＳＴネットワークの仕様による寸法、形状であってもよい。図１には示さないが、対のコネクタの引っ掛かりを確実にし、ケーブル１６、１８の端面が対になるコネクタで接続される装置と適切な配置に保持されるために、コネクタ・ボディ１０の側面にはずれ止めの爪が設けられてもよい。
【００１６】
図２は、終端処理前の光ファイバ・ケーブルの端部を示す。たとえば、ケーブル２０はクラッドとして機能する硬い高分子材料のコーティング２４を施されたシリカコア２２で構成されていてもよい。一般に軟らかいプラスチック被覆が、緩衝層２６を形成するためにクラッド２４として施される。緩衝層２６はある程度の変形を許容し、コア・クラッド２４に加わる力を軽減する。参考資料として引用しているJ. Hechtの「Understanding Fiber Optics」（Prentice Hall、第３版、１９９９、第１５２頁乃至第１５３頁）を参照のこと。
【００１７】
保護のための外部被覆２８、たとえば塩化ビニル（polyvinyl chloride：ＰＶＣ）、がクラッドで覆われたファイバ・コア２２と緩衝層２６を取り囲む。終端処理に先立ち、図２に示し、また以下にも述べるように、所定長さの外部被覆２８をケーブル２０の端から除去する。周囲の緩衝層２６を除去した所望の長さＬのクラッドで覆われたファイバ・コア２２を露出した状態で、図２に示すように、ある長さの緩衝層２６を露出して残してもよい。
【００１８】
図３は、本発明によるケーブル圧着挿入子３０の断面図である。一般に挿入子３０は円筒形で、好ましくは想定される温度範囲に対して膨張係数が比較的小さい、たとえば、アルミニウム、あるいは他の金属、あるいは金属合金などの丈夫で変形可能な材料で作られる。たとえば、ＭＯＳＴの規格では−４０℃から＋８５℃の温度範囲で信頼性のある部品性能を要求している。
【００１９】
圧着挿入子３０は、手前側端部３２から先端部３４までの全長Ｍが、たとえば、約１５．０ｍｍ（０．５９インチ）である。挿入子３０の全外径Ｎは、たとえば、３．０ｍｍ（０．１２インチ）である。挿入子３０はその中心軸Ａ上に穴３６があり、その穴３６の第１の直径部Ｄ１は挿入子の手前側端部３２に開いていて、外部被覆２８（図２）の外径、たとえば、一般的には約２．０ｍｍ（０．０８インチ）に合う寸法になっている。
【００２０】
また、圧着挿入子の穴３６には、第１の直径部Ｄ１と挿入子の先端部３４の中間の、第２の小さな直径部Ｄ２がある。本発明の第１の実施例において、Ｄ２の部分の直径はケーブル２０（図２）のコア２２のクラッド２４の外径に対応し、その一般的な値は、たとえば、約０．４ｍｍ（０．０１５インチ）である。穴部Ｄ２の軸長は、たとえば、約１．６ｍｍ（０．０６インチ）である。第１の実施例においては、図２に示すようにケーブル２０の端部から外部被覆２８を剥ぐときに、クラッド・コアの露出した長さＬに対して残してよい緩衝層２６の長さはかなり短いことのみが要求される。この実施例において、クラッド・コアの露出長さＬの部分をケーブル２０の「被覆を除去した端部」と定義する。
【実施例２】
【００２１】
本発明の第２の実施例においては、以下に述べるように、穴部Ｄ２の直径は緩衝層２６の外径に対応し、外部被覆２８をケーブル端部（図２）から剥ぐときに、ケーブルの終端処理の間、緩衝層２６が完全に、あるいはほぼ完全に穴部Ｄ２の中まで伸びているよう、十分な長さの緩衝層２６を露出した状態に残す。この実施例においては、緩衝層２６の露出した部分、および所定の長さの露出したクラッド・コアの両方をケーブル２０の「被覆を除去した端部」と定める。したがって、穴部Ｄ２の直径は、たとえば、約０．５ｍｍ（０．０２０インチ）である。穴部Ｄ２の軸長は第１の実施例のように約１．６ｍｍ（０．０６インチ）であってもよい。
【００２２】
第１の環状の圧着力集中部、あるいはリング３８が、図３の右側に示すように、圧着挿入子３０の手前側端部の円周上に形成される。第２の環状圧着リング４０が挿入子の穴部Ｄ２の中央部を取り囲むように挿入子の円周上に形成される。また、図３の左側に示すように、圧着挿入子３０の穴部Ｄ２と先端部３４の間の円周上に軸方向に間隔をあけて複数の環状のリブが形成される。リブ４２は、以下に説明するように、挿入子とコネクタ・プラグ５０が組み立てられたとき、しっかりと結合されるように機能する。
【００２３】
図４は、本発明によるプラグと結合する前に、図３に示す圧着挿入子３０を、一般的には円筒形であるコネクタ・プラグ５０（しばしば「フェルールの鼻（ferrule nose）」と呼ばれる）とともに軸方向に並べて示す断面図である。本実施例において、鼻、あるいはプラグ５０は好ましくは所望の形状にモールド出来る熱可塑性材料により形成される。そのような材料の１つが、General Electric社（米国）から「Ｕｌｔｅｍ」の名称で売られている。
【００２４】
コネクタ・プラグ５０は、プラグの軸を中心軸とする穴５２を有する。穴５２の第１の部分５４はプラグの手前側端部５６に開いていて、その第１の穴部の直径は圧着挿入子３０が、たとえば、よく知られている超音波加熱、組立技法により穴部５４の軸方向に押し込まれたときに、圧着挿入子３０の先端部３４がプラグ５０の中に入り、それを保持できる直径である。そのような組立手順によるとき、プラグの手前側端部の第１の穴部５４の最初（冷間時）の直径は挿入子３０の先端部のリブ４２の外径よりもわずかに小さい。あるいは、事前に加熱することなく、圧着挿入子とコネクタ・プラグを軸方向にプレスで押し込んではめ込む「プレス・フィット」が出来るように、穴部５４、およびリブ４２の直径を設定してもよい。
【００２５】
プラグ５０の軸方向の全長は好ましくは約１１．１５ｍｍ（０．４４インチ）であり、第１の穴部５４の一般的な軸方向の長さは、たとえば５．０ｍｍ（０．２インチ）である。プラグの先端部５８の直径は、たとえば２．９１３ｍｍ（０．１１５インチ）であり、先端部５８の壁６０の中央部にケーブル２０（図２）の長さＬの露出したクラッド・コアの自由端が通るのにちょうどよい直径の開口６２を有する。ＯＦＳ  Ｆｉｔｅｌ社のコア径が２００μｍであるＨＣＳファイバなどを含むケーブル用として、コネクタ・プラグの先端部５８の中央部開口６２の一般的な直径は約０．２３０ｍｍ（０．００９インチ）である。
【００２６】
図５は、ケーブル２０の裸にした端部を挿入し、動作可能に終端処理して組み立てたコネクタ・プラグ５０と圧着挿入子３０の断面図である。組み立てたコネクタ・プラグと圧着挿入子もまた「コネクタ・フェルール」ユニットと定義してもよい。図５において、クラッド２４で覆われた長さＬのファイバ・コア２２は、軸に沿って挿入子の手前側端部３２に挿入され、第２の直径の穴部D２、およびコネクタ・プラグ５０の穴５２を通って、プラグの端の壁６０の中央部開口６２から外に出る。
【００２７】
挿入子３０の２つの圧着リング３８、４０の円周上に、同時に圧着力Ｆが加えられる。力Ｆは、たとえば、図６に示すような１組の対向する６角形の圧着具(crimping jaws)７０、７２によって加えられてもよい。好ましくは、図５に示すように、挿入子３０の圧着リング３８、４０の両方に同時に圧着力を作用させるために、圧着具７０、７２は軸方向に十分な幅を有する。こうして、ひとつの圧着動作によって、外部被覆２８が挿入子の手前側端部３２の第１のリング３８の真下で圧着されて、確実に保持され、また、ケーブルの露出したクラッド・コアは第２のリング４０の真下で挿入子の穴部Ｄ２の中に圧着されて、確実に固定される。
【００２８】
ケーブルの終端処理は、プラグ端部の壁の開口６２から出ているクラッド・コアの自由端を切り落とし、必要であれば通常行われる方法により研磨して完了する。たとえば、プラグ端部の壁６０と十分に同一平面となるきれいなファイバ端面を形成するために、ＯＦＳ  Ｆｉｔｅｌ社のＣＴ−２型のような商業的に入手可能な切断ツールを使ってもよい。それから、組み立てたコネクタ・プラグ５０と挿入子３０によって終端された１本以上のケーブルは、ケーブル端面が対になるコネクタ、あるいはソケットのついた他のケーブル、あるいは光装置と動作可能に結合されるために、図１に示すようなコネクタ筐体の内部に保持されてもよい。
【００２９】
圧着挿入子とコネクタ・プラグ５０とは、あらかじめ組み立てられたコネクタ・フェルール・ユニットとして供給することも可能であることは十分理解されるであろう。したがって、製造環境において、時間、および数多くの光ファイバ・ケーブルを終端処理するために必要な装置の両方を、著しく少なくすることが出来る。
【００３０】
ここに開示されたコネクタ・システムは、ＭＯＳＴ、あるいは他のネットワーク用途のいずれにおいてもプラスチック・ファイバ・ケーブルと同様に、ガラス・コア／高分子材料クラッド光ファイバの終端処理に特に適している。また、本発明のシステムは、知られている限りにおいて他の圧着技術によっては達成されたことのない、保存性が良好な終端処理したケーブルを提供する。重要なことは、このシステムは工程が少なく、したがって単位製造コストを最小にするケーブル終端処理の自動化に適していることである。
【００３１】
前記は本発明の好ましい実施例を示すものであるが、発明の精神と範囲を逸脱することなく多くの修正、および変更が行われ得るものであり、かつ本発明はそのような修正、および変更の全てを以下に添付する請求の範囲に含むものであることを当業者は理解するであろう。
【図面の簡単な説明】
【００３２】
【図１】本発明によって終端処理した２本の光ファイバ・ケーブルを収納したコネクタ・ボディの斜視図である。
【図２】終端処理する前の光ファイバ・ケーブルの端部を示す。
【図３】本発明によるケーブル圧着挿入子の断面図である。
【図４】本発明によるコネクタ・プラグの手前側端部に結合された図３の圧着挿入子の断面図である。
【図５】前処理で終端処理された光ファイバ・ケーブルの端部を示す、図４のプラグと挿入子の組立体の断面図である。
【図６】図５の線６−６で切った、圧着挿入子の外周圧着具の断面図である。
【符号の説明】
【００３３】
１０          コネクタ・ボディ
１２、１４    コネクタ終端部
１６、１８    光ファイバ・ケーブル
２０          光ファイバ・ケーブル
２２          シリカコア
２４          高分子材料コーティング
２６          緩衝層
２８          外部被覆
３０          圧着挿入子
３２          手前側端部
３４          先端部
３６          中心軸上の穴
３８          圧着力集中部（リング）
４０          第２の環状圧着リング
４２          リブ
５０          コネクタ・プラグ
５２          穴
５４          第１の穴部分
５６          プラグの手前側端部
５８          先端部
６０          壁
６２          中央部開口
７０、７２    ６角形の圧着具
【図１】
2005018075.tif 000003
【図２】
2005018075.tif 000004
【図３】
2005018075.tif 000005
【図４】
2005018075.tif 000006
【図５】
2005018075.tif 000007
【図６】
2005018075.tif 000008